(57)【特許請求の範囲】
【請求項１】
通信ネットワークを介して複数の端末が接続され、ものＩＤにより識別されるものに係る他のものとの関係性情報を含むＩＤ商品の売買を管理するＩＤ商品売買装置であって、
ものと他のものとの関係性情報を少なくとも含むもの情報を、当該ものを識別するものＩＤに関連付けて記憶するもの情報データベースと、
ものを管理する管理者の前記端末から、当該ものを識別するものＩＤを指定して、当該ものと他のものとの関係性情報を含む販売アイテムの指定を含むＩＤ商品の登録要求を受け付けたことに応じて、前記もの情報データベースを参照して、指定された当該販売アイテム及び当該管理者を識別するユーザＩＤを商品ＩＤに関連付けてＩＤ商品データベースに記憶するＩＤ商品登録手段と、
ＩＤ商品の購入を希望する購入希望者の端末からの要求を受け付けたことに応じて、前記ＩＤ商品データベースを参照して、記憶された前記販売アイテムに基づいて、ＩＤ商品のリストであるＩＤ商品リストを生成し、前記購入希望者の端末に生成した当該ＩＤ商品リストを送信するＩＤ商品リスト送信手段と、
前記購入希望者の端末から、前記ＩＤ商品リストに含まれるＩＤ商品のうち、購入を希望するＩＤ商品の指定を含むＩＤ商品の購入要求を受け付けたことに応じて、前記ＩＤ商品データベースを参照し、指定されたＩＤ商品の商品ＩＤに関連付けられた管理者のユーザＩＤを、前記購入希望者を識別するユーザＩＤに変更して前記ＩＤ商品データベースを更新するＩＤ商品管理者変更手段と、を備えるＩＤ商品売買装置。
【請求項２】
前記ＩＤ商品登録手段は、前記ＩＤ商品を管理することができる期間である有効期限を含む前記登録要求を受け付けたことに応じて、前記有効期限を更に前記商品ＩＤに関連付けて前記ＩＤ商品データベースに記憶し、
前記ＩＤ商品管理者変更手段は、前記ＩＤ商品データベースを参照して、前記有効期限が経過したときに、前記ＩＤ商品の前記管理者のユーザＩＤを、前記購入希望者を識別するユーザＩＤから変更前の前記管理者のユーザＩＤに変更し、前記ＩＤ商品データベースを再更新する請求項１に記載のＩＤ商品売買装置。
【請求項３】
通信ネットワークを介して複数の端末が接続され、ものＩＤにより識別されるものに係る他のものとの関係性情報を含むＩＤ商品の売買を管理するＩＤ商品売買装置によって実行されるＩＤ商品売買方法であって、前記ＩＤ商品売買装置が、
ものと他のものとの関係性情報を少なくとも含むもの情報を、当該ものを識別するものＩＤに関連付けてもの情報データベースに記憶するステップと、
ものを管理する管理者の前記端末から、当該ものを識別するものＩＤを指定して、当該ものと他のものとの関係性情報を含む販売アイテムの指定を含むＩＤ商品の登録要求を受け付けたことに応じて、前記もの情報データベースを参照して、指定された当該販売アイテム及び当該管理者を識別するユーザＩＤを商品ＩＤに関連付けてＩＤ商品データベースに記憶するＩＤ商品登録ステップと、
ＩＤ商品の購入を希望する購入希望者の端末からの要求を受け付けたことに応じて、前記ＩＤ商品データベースを参照して、記憶された前記販売アイテムに基づいて、ＩＤ商品のリストであるＩＤ商品リストを生成し、前記購入希望者の端末に生成した当該ＩＤ商品リストを送信するＩＤ商品リスト送信ステップと、
前記購入希望者の端末から、前記ＩＤ商品リストに含まれるＩＤ商品のうち、購入を希望するＩＤ商品の指定を含むＩＤ商品の購入要求を受け付けたことに応じて、ＩＤ商品データベースを参照し、指定されたＩＤ商品の商品ＩＤに関連付けられた管理者のユーザＩＤを、前記購入希望者を識別するユーザＩＤに変更して前記ＩＤ商品データベースを更新するＩＤ商品管理者変更ステップと、を実行するＩＤ商品売買方法。
【発明の詳細な説明】
【技術分野】
【０００１】
本発明は、ＩＤ商品売買装置及び方法に関し、詳しくは、ものＩＤにより識別されるものに係る関係性情報を含むＩＤ商品を売買するＩＤ商品売買装置及び方法に関する。
【背景技術】
【０００２】
近年、インターネットにおけるソーシャルネットワーキングサービス（以下、ＳＮＳ）では、ユーザ自身の記事や写真といった情報（コンテンツ）を投稿し、他のユーザに開示することのできる場を提供するサービスが普及している。このようなサービスでは、ユーザに対して広告を提示したり、コンテンツを販売することができる。
【０００３】
例えば、特許文献１には、ソーシャルネットワーキングウェブサイトにおいて、当該ウェブサイトの会員が関係を持つウェブサイト上の他の会員に取った行動に関する情報を記録し、この記録に基づき当該会員に対して関係性のある広告を提示する技術が開示されている。
この特許文献１の技術によれば、会員のネットワーク内で他者が取った行動に関する情報に基づく広告を提示できる。
【先行技術文献】
【特許文献】
【０００４】
【特許文献１】特表２０１１−５０４２６０号公報
【発明の概要】
【発明が解決しようとする課題】
【０００５】
しかしながら、特許文献１の技術では、会員であるユーザと他のユーザとの関係性に基づく広告を提示できたとしても、あるユーザと他のユーザとの関係性を売買できるものではない。すなわち、あるユーザと他のユーザとの関係性とはソーシャルネットワークにおいて形成された人間関係であり、社会通念上、人間関係が売買されることはない。
一方、実社会において、ものであるペット等の動物は、一般的に売買され又動物同士の間に関係性も形成される。
【０００６】
そこで、本発明は、例えば、ペットの飼い主や動物園の動物の飼育係等の管理者が、当該ペットや動物等をものとし、当該ものを代理して通信ネットワーク上で交流することにより構築した他のものとの関係性を含むソーシャル財産を、当該もののものＩＤによりシンボライズしてＩＤ商品として流通させる市場を構成することができるＩＤ商品売買装置及び方法を提供することを目的とする。
【課題を解決するための手段】
【０００７】
（１）  通信ネットワークを介して複数の端末が接続され、ものＩＤにより識別されるものに係る他のものとの関係性情報を含むＩＤ商品の売買を管理するＩＤ商品売買装置であって、
ものと他のものとの関係性情報を少なくとも含むもの情報を、当該ものを識別するものＩＤに関連付けて記憶するもの情報データベースと、
ものを管理する管理者の前記端末から、当該ものを識別するものＩＤを指定して、当該ものと他のものとの関係性情報を含む販売アイテムの指定を含むＩＤ商品の登録要求を受け付けたことに応じて、前記もの情報データベースを参照して、指定された当該販売アイテム及び当該管理者を識別するユーザＩＤを商品ＩＤに関連付けてＩＤ商品データベースに記憶するＩＤ商品登録手段と、
ＩＤ商品の購入を希望する購入希望者の端末からの要求を受け付けたことに応じて、前記ＩＤ商品データベースを参照して、記憶された前記販売アイテムに基づいて、ＩＤ商品のリストであるＩＤ商品リストを生成し、前記購入希望者の端末に生成した当該ＩＤ商品リストを送信するＩＤ商品リスト送信手段と、
前記購入希望者の端末から、前記ＩＤ商品リストに含まれるＩＤ商品のうち、購入を希望するＩＤ商品の指定を含むＩＤ商品の購入要求を受け付けたことに応じて、前記ＩＤ商品データベースを参照し、指定されたＩＤ商品の商品ＩＤに関連付けられた管理者のユーザＩＤを、前記購入希望者を識別するユーザＩＤに変更して前記ＩＤ商品データベースを更新するＩＤ商品管理者変更手段と、を備えるＩＤ商品売買装置。
【０００８】
（１）のＩＤ商品売買装置によれば、もの情報データベースは、ものと他のものとの関係性情報を少なくとも含むもの情報を、当該ものを識別するものＩＤに関連付けて記憶し、ＩＤ商品登録手段は、ものを管理する管理者の端末から、当該ものを識別するものＩＤを指定して、当該ものと他のものとの関係性情報を含む販売アイテムの指定を含むＩＤ商品の登録要求を受け付けたことに応じて、もの情報データベースを参照して、指定された当該販売アイテム及び当該管理者を識別するユーザＩＤを商品ＩＤに関連付けてＩＤ商品データベースに記憶し、ＩＤ商品リスト送信手段は、ＩＤ商品の購入を希望する購入希望者の端末からの要求を受け付けたことに応じて、ＩＤ商品データベースを参照して、記憶された販売アイテムに基づいて、ＩＤ商品のリストであるＩＤ商品リストを生成し、購入希望者の端末に生成した当該ＩＤ商品リストを送信し、ＩＤ商品管理者変更手段は、購入希望者の端末から、ＩＤ商品リストに含まれるＩＤ商品のうち、購入を希望するＩＤ商品の指定を含むＩＤ商品の購入要求を受け付けたことに応じて、ＩＤ商品データベースを参照し、指定されたＩＤ商品の商品ＩＤに関連付けられた管理者のユーザＩＤを、購入希望者を識別するユーザＩＤに変更してＩＤ商品データベースを更新する。
【０００９】
これにより、もの（例えば、ペット等の動物）同士の関係性は、ＩＤ商品として管理者によって管理され売買できるソーシャル財産となる。
したがって、ものを代理して通信ネットワーク上で交流することにより構築した他のものとの関係性を含むソーシャル財産を、当該もののものＩＤによりシンボライズしてＩＤ商品として流通させる市場を構成することができるＩＤ商品売買装置を提供できる。
【００１０】
（２）  前記ＩＤ商品登録手段は、前記ＩＤ商品を管理することができる期間である有効期限を含む前記登録要求を受け付けたことに応じて、前記有効期限を更に前記商品ＩＤに関連付けて前記ＩＤ商品データベースに記憶し、
前記ＩＤ商品管理者変更手段は、前記ＩＤ商品データベースを参照して、前記有効期限が経過したときに、前記ＩＤ商品の前記管理者のユーザＩＤを、前記購入希望者を識別するユーザＩＤから変更前の前記管理者のユーザＩＤに変更し、前記ＩＤ商品データベースを再更新する（１）に記載のＩＤ商品売買装置。
【００１１】
（２）のＩＤ商品売買装置によれば、ＩＤ商品を管理する管理者は、ＩＤ商品を管理することができる期間である有効期限を含む登録要求を行い、当該ＩＤ商品の有効期限が経過したときには、当該ＩＤ商品の変更前の管理者に戻すことができる。よって、ＩＤ商品は、期間を区切って販売することもできるので、ソーシャル財産としての価値が向上する。
【００１２】
（３）  通信ネットワークを介して複数の端末が接続され、ものＩＤにより識別されるものに係る他のものとの関係性情報を含むＩＤ商品の売買を管理するＩＤ商品売買装置によって実行されるＩＤ商品売買方法であって、前記ＩＤ商品売買装置が、
ものと他のものとの関係性情報を少なくとも含むもの情報を、当該ものを識別するものＩＤに関連付けてもの情報データベースに記憶するステップと、
ものを管理する管理者の前記端末から、当該ものを識別するものＩＤを指定して、当該ものと他のものとの関係性情報を含む販売アイテムの指定を含むＩＤ商品の登録要求を受け付けたことに応じて、前記もの情報データベースを参照して、指定された当該販売アイテム及び当該管理者を識別するユーザＩＤを商品ＩＤに関連付けてＩＤ商品データベースに記憶するＩＤ商品登録ステップと、
ＩＤ商品の購入を希望する購入希望者の端末からの要求を受け付けたことに応じて、前記ＩＤ商品データベースを参照して、記憶された前記販売アイテムに基づいて、ＩＤ商品のリストであるＩＤ商品リストを生成し、前記購入希望者の端末に生成した当該ＩＤ商品リストを送信するＩＤ商品リスト送信ステップと、
前記購入希望者の端末から、前記ＩＤ商品リストに含まれるＩＤ商品のうち、購入を希望するＩＤ商品の指定を含むＩＤ商品の購入要求を受け付けたことに応じて、ＩＤ商品データベースを参照し、指定されたＩＤ商品の商品ＩＤに関連付けられた管理者のユーザＩＤを、前記購入希望者を識別するユーザＩＤに変更して前記ＩＤ商品データベースを更新するＩＤ商品管理者変更ステップと、を実行するＩＤ商品売買方法。
【００１３】
（３）の方法によれば、（１）のＩＤ商品売買装置と同様の効果を奏する。
【発明の効果】
【００１４】
本発明によれば、例えば、ペットの飼い主や動物園の動物の飼育係等の管理者が、当該ペットや動物等をものとし、当該ものを代理して通信ネットワーク上で交流することにより構築した他のものとの関係性を含むソーシャル財産を、当該もののものＩＤによりシンボライズしてＩＤ商品として流通させる市場を構成することができるＩＤ商品売買装置及び方法を提供できる。
【図面の簡単な説明】
【００１５】
【図１】本発明の実施形態に係るＩＤ商品売買システムの機能構成を示す図である。
【図２】上記実施形態に係るユーザデータベースを説明する図である。
【図３】上記実施形態に係るペット情報データベースを説明する図である。
【図４】上記実施形態に係るＩＤ商品データベースを説明する図である。
【図５】上記実施形態に係る端末に表示されるＩＤ商品リストを説明する図である。
【図６】上記実施形態に係るＩＤ商品売買装置がＩＤ商品を登録する処理を示すフローチャートである。
【図７】上記実施形態に係るＩＤ商品売買装置が、購入希望者の端末にＩＤ商品リストを送信する処理のフローチャートである。
【図８】上記実施形態に係るＩＤ商品売買装置が、ＩＤ商品の売買に伴い、ＩＤ商品の管理者を変更する処理を示すフローチャートである。
【図９】上記実施形態の応用例に係るＩＤ商品売買装置におけるＩＤ商品を登録する処理のフローチャートである。
【図１０】本実施形態の応用例に係るＩＤ商品売買装置がＩＤ商品の管理者を再変更する処理を示すフローチャートである。
【発明を実施するための形態】
【００１６】
以下に、本発明の実施形態を図面に基づいて詳細に説明する。なお、以下の実施形態の説明にあたって、同一構成要件については同一符号を付し、その説明を省略もしくは簡略化する。
【００１７】
［ＩＤ商品売買システム１の機能構成］
図１は、本発明の実施形態に係るＩＤ商品売買システム１の機能構成を示す図である。
ＩＤ商品売買システム１は、ネットワーク７を介して複数のユーザの端末２０が接続され、ものＩＤ（例えば、後述のペットＩＤ）により識別されるもの（例えば、後述のペットユーザ）に係る他のもの（例えば、後述の他のペットユーザ）との関係性情報を含むＩＤ商品の売買を管理するシステムであって、ＩＤ商品売買装置１０と、ネットワーク７を介してＩＤ商品売買装置１０と接続された複数のユーザの端末２０と、を備える。
本実施形態の説明では、理解を容易にするため、管理者により管理され、ものＩＤにより識別されるものを、管理者である飼い主により飼われているペットとして説明するが、本発明はこれに限定されず、例えば、ものは、実在し、かつ、ユーザが所有しているものであり、例えば、ペットの他、動物園の動物、携帯電話、テレビ、車等を含むが、実在しないバーチャルなものを含むものではない。
また、関係性情報とは、ものであるペットユーザ同士の関係（例えば、友達関係等）である。また、関係性情報を含むＩＤ商品は、少なくともペットユーザ同士の関係が含まれていればよく、その他、例えば、ペットユーザのメールアドレス、ブログデータ又は写真等を含む。
【００１８】
ＩＤ商品売買装置１０は、ＩＤ商品登録手段１１と、ＩＤ商品リスト送信手段１２と、ＩＤ商品管理者変更手段１３と、ユーザデータベース１００と、もの情報データベースとしてのペット情報データベース１０５と、ＩＤ商品データベース１１０と、を備える。
【００１９】
ＩＤ商品登録手段１１は、ペットユーザを管理する管理者の端末２０から、当該ペットユーザを識別するペットＩＤを指定して、当該ペットユーザと他のペットユーザとの関係性情報を含む販売アイテムの指定を含むＩＤ商品の登録要求を受け付けたことに応じて、ペット情報データベース１０５を参照して、指定された当該販売アイテム及び当該管理者を識別するユーザＩＤを当該ＩＤ商品を識別する商品ＩＤに関連付けてＩＤ商品データベース１１０に記憶する。
【００２０】
図２は、本実施形態に係るユーザデータベース１００を説明する図である。
図２に示すように、ユーザデータベース１００には、管理者を識別するユーザＩＤに、管理者の名前、住所、メールアドレス、ブログＵＲＬとが関連付けて記憶されている。
【００２１】
ペット情報データベース１０５は、ペットユーザと他のペットユーザとの関係性情報を少なくとも含むユーザ情報を、当該ペットユーザを識別するペットＩＤに関連付けて記憶する。
図３は、ペット情報データベース１０５を説明する図である。
ペット情報データベース１０５は、ペットＩＤに、関係性情報として当該ペットＩＤにより識別されるペットユーザの友達のペットユーザを識別するペットＩＤが少なくとも１つ関連付けられている。その他、ペット情報データベース１０５は、ペットＩＤに、ユーザ情報として、当該ペットＩＤにより識別されるペットユーザの名前、写真、メールアドレス及びブログＵＲＬが関連付けられている。
【００２２】
図１に戻って、ＩＤ商品データベース１１０には、登録要求で指定された当該販売アイテム及び当該管理者を識別する管理者のユーザＩＤがＩＤ商品を識別する商品ＩＤに関連付けて記憶されている。
図４は、ＩＤ商品データベース１１０を説明する図である。
ＩＤ商品データベース１１０には、商品ＩＤに、少なくとも関係性情報（友達のペットユーザのペットＩＤ）を含む販売アイテムと、当該ＩＤ商品の管理者を識別する管理者のユーザＩＤと、が対応付けて登録されている。
販売アイテムは、関係性情報の他、メールアドレスやブログデータや写真が含まれる。
【００２３】
具体的には、商品ＩＤ“Ａ０１−１”は、ペットＩＤ“Ａ０１”により識別されるペットユーザの友達のペットＩＤ“Ｘ０１”（図３参照）との関係性情報を含み、その他、ペットＩＤ“Ａ０１”のメールアドレスやブログデータを含み、管理者のユーザＩＤ“ＡＢＣ”により識別される管理者により管理されている。
【００２４】
また、商品ＩＤ“Ａ０１−２”は、ペットＩＤ“Ａ０１”により識別されるペットユーザの友達のペットＩＤ“Ｘ０２”（図３参照）との関係性情報を含み、その他、ペットＩＤ“Ａ０２”の写真を含み、管理者のユーザＩＤ“ＡＢＣ”により識別される管理者により管理されている。
【００２５】
また、商品ＩＤ“Ｘ０１−１”は、ペットＩＤ“Ｘ０１”により識別されるペットユーザの友達のペットＩＤ“Ａ０１”（図３参照）との関係性情報を含み、その他、ペットＩＤ“Ｘ０１”のメールアドレスやブログデータを含み、管理者のユーザＩＤ“ＸＹＺ”により識別される管理者により管理されている。
【００２６】
図１に戻って、ＩＤ商品リスト送信手段１２は、ＩＤ商品の購入を希望する購入希望者の端末２０からの要求を受け付けたことに応じて、ＩＤ商品データベース１１０を参照して、記憶された販売アイテムに基づいて、ＩＤ商品のリストであるＩＤ商品リストを生成し、購入希望者の端末２０に生成した当該ＩＤ商品リストを送信する。
【００２７】
図５は、購入希望者の端末２０に表示されるＩＤ商品リストを説明する図である。
ＩＤ商品リストは、ＩＤ商品の商品ＩＤに、販売対象ペットユーザの名前、ペットＩＤ及び写真と、当該販売対象ペットユーザの友達（関係性情報）であるペットユーザの名前、ペットＩＤ及び写真と、が対応付けられたリストである。また、ＩＤ商品リストには、商品ＩＤに、関係性情報の他の販売アイテムであるメールアドレス、ブログＵＲＬ及び写真も対応付けられている。
【００２８】
図１に戻って、ＩＤ商品管理者変更手段１３は、購入希望者の端末２０から、ＩＤ商品リスト（図５参照）に含まれるＩＤ商品のうち、購入を希望するＩＤ商品の指定を含むＩＤ商品の購入要求を受け付けたことに応じて、ＩＤ商品データベース１１０（図４参照）を参照し、指定されたＩＤ商品の商品ＩＤに関連付けられた管理者のユーザＩＤを、購入希望者を識別するユーザＩＤに変更してＩＤ商品データベース１１０を更新する。
【００２９】
［ＩＤ商品売買装置１０の応用例］
ＩＤ商品売買装置１０は、上記実施形態に加え、更に有効期限付きのＩＤ商品の売買を管理できる。
応用例では、ＩＤ商品登録手段１１は、ＩＤ商品を管理することができる期間である有効期限を含む前記登録要求を受け付けたことに応じて、有効期限を更に商品ＩＤに関連付けてＩＤ商品データベースに記憶する。
また、ＩＤ商品管理者変更手段１３は、ＩＤ商品データベース１１０を参照して、有効期限が経過したときに、ＩＤ商品のユーザＩＤを、購入希望者を識別するユーザＩＤから変更前のユーザＩＤに変更し、ＩＤ商品データベースを再更新する。
【００３０】
端末２０は、入力手段２１０と、表示手段２２０と、端末制御手段２３０と、を備える。
入力手段２１０は、ＩＤ商品売買装置１０に送信するＩＤ商品の登録要求やＩＤ商品の購入要求に伴う操作等を受け付ける。
表示手段２２０は、ＩＤ商品売買装置１０から送信されたＩＤ商品リストを表示する。
端末制御手段２３０は、端末２０を制御し、入力手段２１０で受け付けたＩＤ商品の登録要求やＩＤ商品の購入要求をＩＤ商品売買装置１０に送信する。また、端末制御手段２３０は、ＩＤ商品売買装置１０から送信されたＩＤ商品リストを受信し、表示手段２２０に表示させる制御を行う。
【００３１】
［ＩＤ商品売買システム１のハードウェア構成］
実施形態に係るＩＤ商品売買システム１のＩＤ商品売買装置１０及びユーザの端末２０は、コンピュータ及びその周辺装置に適用される。ＩＤ商品売買装置１０及びユーザの端末２０における各部は、コンピュータ及びその周辺装置が備えるハードウェア並びに当該ハードウェアを制御するソフトウェアによって構成される。
【００３２】
上記ハードウェアには、ＣＰＵ（Ｃｅｎｔｒａｌ  Ｐｒｏｃｅｓｓｉｎｇ  Ｕｎｉｔ）、記憶部の他、通信装置、表示装置、入力装置が含まれる。記憶部としては、例えば、メモリ（ＲＡＭ：Ｒａｎｄｏｍ  Ａｃｃｅｓｓ  Ｍｅｍｏｒｙ、ＲＯＭ：Ｒｅａｄ  Ｏｎｌｙ  Ｍｅｍｏｒｙ等）、ハードディスクドライブ（ＨＤＤ：Ｈａｒｄ  Ｄｉｓｋ  Ｄｒｉｖｅ）、及び光ディスク（ＣＤ：Ｃｏｍｐａｃｔ  Ｄｉｓｋ、ＤＶＤ：Ｄｉｇｉｔａｌ  Ｖｅｒｓａｔｉｌｅ  Ｄｉｓｋ等）ドライブが挙げられる。通信装置としては、例えば、各種有線及び無線インターフェース装置が挙げられる。表示装置としては、例えば、液晶ディスプレイ、プラズマディスプレイ等の各種ディスプレイが挙げられる。入力装置としては、例えば、入力キー、タッチパネル、キーボード及びポインティング・デバイス（マウス、トラッキングボール等）が挙げられる。
【００３３】
上記ソフトウェアには、上記ハードウェアを制御するコンピュータ・プログラム及びデータが含まれる。コンピュータ・プログラム及びデータは、記憶部により記憶され、各制御部により適宜実行、参照される。また、コンピュータ・プログラムやデータは、通信回線を介して配布されることも可能であり、ＣＤ−ＲＯＭ等のコンピュータ可読媒体に記録して配布されることも可能である。
【００３４】
［ＩＤ商品売買装置１０の制御フロー］
次に、ＩＤ商品売買装置１０の制御フローについて説明する。
図６は、本実施形態に係るＩＤ商品売買装置１０がＩＤ商品を登録する処理を示すフローチャートである。
ステップＳ１１では、登録要求を受け付けたか否かを判定する処理を行う。この処理において、ＩＤ商品登録手段１１（図１参照）は、ペットユーザを管理する管理者の端末２０（図１参照）から、当該ペットユーザを識別するペットＩＤを指定して、当該ペットユーザと他のペットユーザとの関係性情報を含む販売アイテムの指定を含むＩＤ商品の登録要求を受け付けたか否かを判定する。ＩＤ商品登録手段１１は、登録要求を受け付けたと判定しない場合は処理を戻し、登録要求を受け付けたと判定した場合はステップＳ１２に処理を移す。
【００３５】
ステップＳ１２では、ペット情報データベース参照処理を行う。この処理において、ＩＤ商品登録手段１１は、ペット情報データベース１０５（図３参照）を参照して、登録要求で指定されたペットＩＤに基づき、販売アイテムを抽出する。
【００３６】
ステップＳ１３では、ＩＤ商品データベース記憶処理を行う。この処理において、ＩＤ商品登録手段１１は、ステップＳ１２で抽出した該販売アイテム及び登録要求を送信した管理者を識別するユーザＩＤを当該ＩＤ商品を識別する商品ＩＤに関連付けてＩＤ商品データベース１１０（図４参照）に記憶する。
【００３７】
図７は、本実施形態に係るＩＤ商品売買装置１０が、購入希望者の端末２０にＩＤ商品リストを送信する処理のフローチャートである。
【００３８】
ステップＳ２１では、ＩＤ商品の購入希望要求を受け付けたか否かを判定する処理を行う。この処理において、ＩＤ商品リスト送信手段１２（図１参照）は、ＩＤ商品の購入を希望する購入希望者の端末２０からの購入希望要求を受け付けたか否かを判定する。ＩＤ商品リスト送信手段１２は、購入希望要求を受け付けたと判定しない場合は処理を戻し、購入希望要求を受け付けたと判定した場合はステップＳ２２に処理を移す。
【００３９】
ステップＳ２２では、ＩＤ商品リスト生成処理を行う。この処理において、ＩＤ商品リスト送信手段１２は、ＩＤ商品データベース１１０（図４参照）を参照して、記憶された販売アイテムに基づいて、ＩＤ商品のリストであるＩＤ商品リスト（図５参照）を生成する。
【００４０】
ステップＳ２３では、ＩＤ商品リスト送信処理を行う。この処理において、ＩＤ商品リスト送信手段１２は、ステップＳ２２で生成したＩＤ商品リストを購入希望者の端末２０に送信する。
【００４１】
図８は、本実施形態に係るＩＤ商品売買装置１０が、ＩＤ商品の売買に伴い、ＩＤ商品の管理者を変更する処理を示すフローチャートである。
ステップＳ３１では、ＩＤ商品の購入要求を受け付けたか否かを判定する処理を行う。この処理において、ＩＤ商品管理者変更手段１３（図１参照）は、購入希望者の端末２０から、ＩＤ商品リスト（図５参照）に含まれるＩＤ商品のうち、購入を希望するＩＤ商品の指定を含むＩＤ商品の購入要求を受け付けたか否かを判定する。ＩＤ商品管理者変更手段１３は、購入要求を受け付けたと判定しない場合は処理を戻し、購入要求を受け付けたと判定した場合はステップＳ３２に処理を移す。
【００４２】
ステップＳ３２では、ＩＤ商品データベース更新処理を行う。この処理において、ＩＤ商品管理者変更手段１３は、ＩＤ商品データベース１１０（図４参照）を参照し、指定されたＩＤ商品の商品ＩＤに関連付けられた管理者のユーザＩＤを、購入希望者を識別するユーザＩＤに変更してＩＤ商品データベース１１０を更新する。
【００４３】
図９は、本実施形態の応用例に係るＩＤ商品売買装置１０におけるＩＤ商品を登録する処理のフローチャートである。
【００４４】
ステップＳ４１では、有効期限を含む登録要求を受け付けたか否かを判定する処理を行う。この処理において、ＩＤ商品登録手段１１（図１参照）は、ペットユーザを管理する管理者の端末２０（図１参照）から、当該ペットユーザを識別するペットＩＤを指定して、当該ペットユーザと他のペットユーザとの関係性情報を含む販売アイテムの指定を含むＩＤ商品及びＩＤ商品を管理することができる期間である有効期限を含む登録要求を受け付けたか否かを判定する。ＩＤ商品登録手段１１は、登録要求を受け付けたと判定しない場合は処理を戻し、登録要求を受け付けたと判定した場合はステップＳ１２に処理を移す。
【００４５】
ステップＳ４２では、ペット情報データベース参照処理を行う。この処理において、ＩＤ商品登録手段１１は、ペット情報データベース１０５（図３参照）を参照して、登録要求で指定されたペットＩＤに基づき、販売アイテムを抽出する。
【００４６】
ステップＳ４３では、ＩＤ商品データベース記憶処理を行う。この処理において、ＩＤ商品登録手段１１は、ステップＳ１２で抽出した該販売アイテム、登録要求を送信した管理者を識別するユーザＩＤ及び有効期限を当該ＩＤ商品を識別する商品ＩＤに関連付けてＩＤ商品データベース１１０（図４参照）に記憶する。
【００４７】
図１０は、本実施形態の応用例に係るＩＤ商品売買装置１０がＩＤ商品の管理者を再変更する処理を示すフローチャートである。
【００４８】
ステップＳ５１では、ＩＤ商品データベース参照処理を行う。この処理において、ＩＤ商品管理者変更手段１３（図１参照）は、ＩＤ商品データベースに登録されたＩＤ商品の有効期限を参照する。
【００４９】
ステップＳ５２では、有効期限経過判定処理を行う。この処理において、ＩＤ商品管理者変更手段１３（図１参照）は、ステップＳ５１で参照したＩＤ商品の有効期限が経過しているか否かを判定する。ＩＤ商品管理者変更手段１３は、ＩＤ商品の有効期限が経過している場合にはステップＳ５３に処理を移し、ＩＤ商品の有効期限が経過していない場合には本処理を終了する。
【００５０】
ステップＳ５３では、ＩＤ商品データベース再更新処理を行う。この処理において、ＩＤ商品管理者変更手段１３（図１参照）は、ステップＳ５１で有効期限が経過していると判定したＩＤ商品の管理者のユーザＩＤを、ＩＤ商品のユーザＩＤを、購入希望者を識別するユーザＩＤから変更前のユーザＩＤに変更し、ＩＤ商品データベースを再更新する。
【００５１】
本実施形態のＩＤ商品売買装置１０によれば、以下のような作用効果がある。
ペット情報データベース１０５は、ペットユーザと他のペットユーザとの関係性情報を少なくとも含むユーザ情報を、当該ペットユーザを識別するペットＩＤに関連付けて記憶し、ＩＤ商品登録手段１１は、ペットユーザを管理する管理者の端末２０から、当該ペットユーザを識別するペットＩＤを指定して、当該ペットユーザと他のペットユーザとの関係性情報を含む販売アイテムの指定を含むＩＤ商品の登録要求を受け付けたことに応じて、ペット情報データベース１０５を参照して、指定された当該販売アイテム及び当該管理者を識別する管理者のユーザＩＤを当該ＩＤ商品を識別する商品ＩＤに関連付けてＩＤ商品データベース１１０に記憶し、ＩＤ商品リスト送信手段１２は、ＩＤ商品の購入を希望する購入希望者の端末２０からの要求を受け付けたことに応じて、ＩＤ商品データベース１１０を参照して、記憶された販売アイテムに基づいて、ＩＤ商品のリストであるＩＤ商品リストを生成し、購入希望者の端末２０に生成した当該ＩＤ商品リストを送信し、ＩＤ商品管理者変更手段１３は、購入希望者の端末２０から、ＩＤ商品リストに含まれるＩＤ商品のうち、購入を希望するＩＤ商品の指定を含むＩＤ商品の購入要求を受け付けたことに応じて、ＩＤ商品データベース１１０を参照し、指定されたＩＤ商品の商品ＩＤに関連付けられた管理者のユーザＩＤを、購入希望者を識別するユーザＩＤに変更してＩＤ商品データベース１１０を更新する。
【００５２】
これにより、もの（例えば、ペット等の動物）同士の関係性は、ＩＤ商品として管理者によって管理され売買できるソーシャル財産となる。
したがって、ものを代理して通信ネットワーク上で交流することにより構築した他のものとの関係性を含むソーシャル財産を、当該もののものＩＤによりシンボライズしてＩＤ商品として流通させる市場を構成することができるＩＤ商品売買装置を提供できる。
【００５３】
また、本実施形態の応用例によれば、ＩＤ商品を管理する管理者は、ＩＤ商品を管理することができる期間である有効期限を含む登録要求を行い、当該ＩＤ商品の有効期限が経過したときには、当該ＩＤ商品の変更前の管理者に戻すことができる。よって、ＩＤ商品は、期間を区切って販売することもできるので、ソーシャル財産としての価値が向上する。
【００５４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５５】
１０    ＩＤ商品売買装置
１１    ＩＤ商品登録手段
１２    ＩＤ商品リスト送信手段
１３    ＩＤ商品管理者変更手段
２０    端末
１０５  ペット情報データベース
１１０  ＩＤ商品データベース
【図１】
0005113276.tif 000002
【図２】
0005113276.tif 000003
【図３】
0005113276.tif 000004
【図４】
0005113276.tif 000005
【図５】
0005113276.tif 000006
【図６】
0005113276.tif 000007
【図７】
0005113276.tif 000008
【図８】
0005113276.tif 000009
【図９】
0005113276.tif 000010
【図１０】
0005113276.tif 000011